(57)【要約】【課題】小便器から前方床に垂れる尿だけでなく、壁外横方向に、又は壁に当たって横方向に飛び散る尿も、受け止めて洗い流すことができる、床面を変色、劣化させず、清潔で衛生的な小便器用水洗システムを提供する。【解決手段】小便器本体２と、小便器本体２の下方に設けられ、落下する尿を受けるための尿受皿部４からなり、前記小便器本体２の前方には、間隔を開けて横方向に並ぶ両足場３が前記尿受皿部４の底面から凸設されており、前記尿受皿部４には当該尿受皿部４の底面を洗浄するための洗浄水の放出口５と排水口６が設けられていることを特徴とする小便器用水洗システム１である。【選択図】図１
2014088697.tif 000002
【特許請求の範囲】
【請求項１】
小便器本体と、小便器本体の下方に設けられ、落下する尿を受けるための尿受皿部からなり、
前記小便器本体の前方には、間隔を開けて横方向に並ぶ両足場が前記尿受皿部の底面から凸設されており、
前記尿受皿部には当該尿受皿部の底面を洗浄するための洗浄水の放出口と排水口が設けられていることを特徴とする小便器用水洗システム。
【請求項２】
両足場が島状又は桟橋状に設けられていることを特徴とする請求項１に記載の小便器用水洗システム。
【請求項３】
小便器本体の水洗と連動して洗浄水が放出口から尿受皿部内に放出されることを特徴とする請求項１又は２に記載の小便器用水洗システム。
【請求項４】
放出口が尿受皿部の前縁に設けられることを特徴とする請求項１〜３のいずれか１項に記載の小便器用水洗システム。
【請求項５】
排水口が尿受皿部の後縁に設けられるとともに、尿受皿部はその前縁で高く後縁で低い斜面状に形成されていることを特徴とする請求項４に記載の小便器用水洗システム。
【請求項６】
落下する尿を受けるための尿受皿部を有し、前記尿受皿部には当該尿受皿部の底面を洗浄するための洗浄水の放出口と排水口が設けられており、小便器本体が配置される箇所の前方には、間隔を開けて横方向に並ぶ両足場が前記尿受皿部の底面から凸設されており、既設の小便器に後付け可能なようにユニット化されていることを特徴とする水洗システム用後付けユニット。
【請求項７】
尿受皿部が周壁を有することを特徴とする請求項６に記載の水洗システム用後付けユニット。
【請求項８】
尿受皿部の裏面に脚部が設けられていることを特徴とする請求項７に記載の水洗システム用後付けユニット。
【発明の詳細な説明】
【技術分野】
【０００１】
本発明は、水洗式の小便器用水洗システムに係り、詳しくは、小便器から垂下した尿や誤って小便器外に放出された尿が床面に落下し、汚染したり、悪臭を発したりするのを防止した小便器用水洗システムに関する。
【背景技術】
【０００２】
通常、小便用の便器は、尿が当る部分と両側の壁とからなり、下部に突出した形状の尿受け部を有している。従って、適切に使用すれば、たとえ放出された尿が小便器にあたっても、両側の壁に阻まれるため、小便器の外に飛び出さないように設計され、放尿終了間際の尿滴も前方に突出した尿受け部で受け止められ、床面には落下しないように設計されている。
【０００３】
しかしながら、使用者は不浄なイメージがある小便器からある程度離れて用を足そうとする傾向があるため、放出された尿が小便器の周縁部にあたって周りに飛び散ったり、小便器を伝って床に垂れる等の不都合が生じることがある。特に、放尿終了間際に尿が尿受け部に届かず、床面を汚染することが多い。このため、「もう一歩前へ」等のメッセージもしばしば見かけられるが、効果は殆ど上らず、床面に尿の溜まりができたり、尿の凝固物が付着したりして、外観を損なうばかりでなく、悪臭を放つ原因になっている。尿の溜まりや尿の凝固物を避けようとして小便器から離れようとすると、上記現象は益々顕著となる。また、尿やその凝固物が靴の裏等に付着すると、それらを周囲に撒き散らすことになり、衛生上も深刻な問題である。更に、尿によりタイルが変色したり、目地やコンクリートが変色、劣化するという問題もある。
このような問題は頻繁に清掃すれば、ある程度解決できるが、会社等にあっては費用の関係もあって、一日一回程度が普通であり、上記の問題は殆ど解決されていないのが実情である。
【０００４】
小便器を伝って床に垂れる尿を間を置かずに洗い流すことができる小便器としては、特許文献１に記載されているような、小便器の下に垂れ受け皿が設けられたものが提案されている。しかしながら、特許文献１に記載の小便器では、トラップ方式を採用しているため、構造が極めて複雑となり高価とならざるを得ず、また、トラップ内の尿や水の悪臭が外部に漏れ出すことが避けられない。さらに、特に子供らの場合に、尿を小便器の壁に当てて両側に飛び散らしたり、壁外に放出することも多いが、このような場合には何ら対処されておらず、上記問題の解決は不十分である。
【先行技術文献】
【特許文献】
【０００５】
【特許文献１】特開平６−２６０９０号公報
【発明の概要】
【発明が解決しようとする課題】
【０００６】
本発明はかかる実情に鑑み、上記問題を解決するもので、小便器から床に垂れる尿だけでなく、小便器の壁外に飛び散らせたり放出する尿も瞬時に洗い流すことができる、衛生的な小便器用水洗システムを提供することを目的とする。
【課題を解決するための手段】
【０００７】
本発明は上記目的を達成するためになされたもので、本発明の特徴は、小便器本体と、小便器本体の下方に設けられ、落下する尿を受けるための尿受皿部からなり、前記小便器本体の前方には、間隔を開けて横方向に並ぶ両足場が前記尿受皿部の底面から凸設されており、前記尿受皿部には当該尿受皿部の底面を洗浄するための洗浄水の放出口と排水口が設けられている小便器用水洗システムである。
【０００８】
本発明の他の特徴は、両足場が島状又は桟橋状に設けられている小便器用水洗システムである。
【０００９】
本発明の他の特徴は、小便器本体の水洗と連動して洗浄水が放出口から尿受皿部内に放出される上記の小便器用水洗システムである。
【００１０】
本発明のさらに他の特徴は、放出口が前部尿受皿部の前縁に設けられる上記の小便器用水洗システムである。
【００１１】
本発明のさらに他の特徴は、排水口が後部尿受皿部の後縁に設けられるとともに、尿受皿部はその前縁で高く後縁で低い斜面状に形成されている上記の小便器用水洗システムである。
【００１２】
本発明のさらに他の特徴は、落下する尿を受けるための尿受皿部を有し、前記尿受皿部には当該尿受皿部の底面を洗浄するための洗浄水の放出口と排水口が設けられており、小便器本体が配置される箇所の前方には、間隔を開けて横方向に並ぶ両足場が前記尿受皿部の底面から凸設されており、既設の小便器に後付け可能なようにユニット化されている水洗システム用後付けユニットである。
【００１３】
本発明のさらに他の特徴は、尿受皿部が周壁を有する上記の水洗システム用後付けユニットである。
【００１４】
本発明のさらに他の特徴は、尿受皿部の裏面に脚部が設けられている上記の水洗システム用後付けユニットである。
【発明の効果】
【００１５】
本発明の小便器用水洗システムは、小便器本体の下方に、落下する尿を受けるための尿受皿部が設けられているため、小便器から垂れたり、壁外に放出されたり、壁に当たって飛び散る尿を尿受皿部で受け止めることができる。
尿受皿部に落ちた尿は放出口からの洗浄水により洗い流されるので、尿の溜まりができたり、尿の凝固物が付着することもなく、悪臭の発生も防がれ、極めて衛生的である。また、尿によりタイル、目地やコンクリートが変色、劣化するという問題も解決される。
さらに、両足場が間隔を開けて横方向に並べられた状態で、小便器本体の前方に凸設されているので、使用者が小便器本体から離れて用を足し、放尿終了間際に小便器本体の尿受け部に届かない尿は尿受皿部で受けられ、両足場は汚れない。
【００１６】
また、両足場が島状又は桟橋状に設けられていることにより、誤って両足場の外側に落ちた尿も両足場の外側の尿受皿部により受け止めることができる。
【００１７】
また、受け皿の洗浄を小便器の水洗と連動させれば、小便器の水洗と同時又は必要により、一定時間後に尿受皿部に落ちた尿も直ちに洗浄することができるので、尿の凝固や悪臭が発生せず、常に極めて清潔に保つことができる。
【００１８】
放水口を尿受皿部の前縁に設ければ、尿受皿部のなかで最も汚れやすい両足場の近辺を重点的に洗浄することができる。
【００１９】
また、放水口を尿受皿部の前縁に設けるとともに、排水口を尿受皿部の後縁に設け、尿受皿部全体を尿受皿部の前縁で高く尿受皿部の後縁で低い斜面状に形成すれば、尿受皿部を容易に洗浄することができる。
【００２０】
尿受皿部及び両足場をユニット化すれば、既設の小便器の下部床面に凹部を形成し、尿受皿部ユニットを凹部に埋設し配管するだけで、通常の小便器を容易且つ迅速に水洗システム化することができる。
また、周壁を有する尿受皿部を使用することにより、小便器の下部床面に該ユニットを設置し配管するだけで、通常の小便器を簡易且つ迅速に水洗システム化することができる。また、この場合は、該ユニットの裏面に脚部を設けることにより、床面とユニットとの間にスペースができるので、該ユニットの下側の清掃が容易になる。
【図面の簡単な説明】
【００２１】
【図１】図１は本発明の小便器用水洗システムの一例を示す平面図である。
【図２】図２は図１のＡ−Ａ概略断面図である。
【図３】図３は本発明の小便器用水洗システムの一例を示す平面図である。
【図４】図４は図３のＢ−Ｂ概略断面図である。
【図５】図５（ａ）は図１の小便器用水洗システムで用いる尿受皿部の平面図であり、（ｂ）は尿受皿部の別例を示す平面図である。
【図６】図６（ａ）は両足場を含む尿受皿部ユニットの一例を示す平面図であり、（ｂ）はその正面図であり、（ｃ）はその側面図である。
【発明を実施するための形態】
【００２２】
本発明の小便器用水洗システム１は、例えば図１及び図２に示したように、小便器本体２と、小便器本体２の下方に設けられ、落下する尿を受けるための尿受皿部４からなり、前記小便器本体２の前方には、間隔を開けて横方向に並ぶ両足場が前記尿受皿部４の底面から凸設されており、前記尿受皿部４には当該尿受皿部４の底面を洗浄するための洗浄水の放出口５と排水口６が設けられていることを特徴とする。
但し、本発明において、前とは便器から使用者に向かう方向を意味し、後とは使用者から便器に向かう方向を意味する。
【００２３】
本発明の小便器用水洗システム１は、図１及び図２に例示されるように、小便器本体２と、尿受皿部４と、両足場３とからなる。
本発明で用いる小便器本体２の形状は特に限定されず、図１及び図２に示した例では据置型（ストール型）小便器が使用されているが、図３及び図４に示されているように俗に朝顔型と称される壁掛け型の小便器を用いてもよい。なお、壁掛け型の小便器を用いれば尿受皿部４を洗浄する際に小便器本体が洗浄液の流れを妨げないため、洗浄が容易になるという利点があり、さらに、壁掛け型の中でも、排水管が壁内に収容されるタイプの小便器を用いれば、尿受皿部４の洗浄がより一層容易になる。
【００２４】
本発明において、小便器本体２の前方には、尿受皿部４の底面から両足場３が凸設されている。両足場３は間隔を開けて横方向に並列して設けられており、小便器を用いる際に使用者はこの両足場３に足を乗せて用を足すように構成されている。
なお、両足場３は図１、図２に示したように、間隔を開けて横方向に並んで設けられる。感覚は通常小便器を使用する場合の両足の間隔で、適宜決めればよい。両足場３は、周囲の床とは独立して島状に設けてもよいし、図３、４に示したように、周囲の床と連続して桟橋状に設けてもよい。また、両足場３は尿受皿部４と一体に形成されていてもよく、また、別途形成した両足場３を尿受皿部４の所定の位置に固定してもよい。
両足場３の凸設高さは特に限定されないが、少なくとも尿受皿部４を流れる洗浄水が使用者の足を汚すことがない程度の高さにする。即ち、洗浄水の量や流速等を考慮して両足場３が洗浄水により汚されず、且つ両足場３及び尿受皿部４の清掃がしやすい程度の凸設高さにすればよいが、通常は３〜１０ｃｍ程度が適切である。
小便器本体２の尿受け部２ａからこばれ落ちた尿は通常両足場３の間隔に位置する尿受皿部４により受け止められ、誤って、両足場３の外側に落ちた尿は両足場３の外側に位置する尿受皿部４により受け止められる。
【００２５】
尿受皿部４は、放尿終了間際に尿が小便器本体２の尿受け部２ａに届かないような場合に落下した尿を受け止めるとともに、尿が誤って小便器の壁外に、又は壁に当って両側に飛び散るような場合に、横方向に飛び散った尿を受け止めることにより、両足場３や床面が尿で汚されるのを防止する。
尿受皿部４の形状は、小便器本体２の外にこぼれた尿を受け止めることができる形状であれば他は特に限定されないが、小便器本体２として据置型のものを用いる場合には、図１及び図５（ａ）に示されるような、小便器本体２の接地部の周縁形状に嵌合する部分を有する形状が好ましい。一方、小便器が壁掛け型の場合は、矩形、円形、楕円等のいずれでもよく、また、図５（ｂ）に示すように、尿受皿部４の前縁側を半円形にしたり、その他必要に応じてさまざまな形状とすることができる。
更に、特に子供や幼小児や、酒に酔った人等においては、両足場３の外側にも尿を飛ばす場合があるので、図示したように、両足場３の外側にも尿受け部４が配置されていることが望ましい。
また、壁際に数個の小便器本体２を連設するような場合には、隣接する尿受皿部４を互いに接続して連通一体化させてもよい。
【００２６】
図１〜図４に示すように、尿受皿部４には、受け止めた尿や洗浄液が外にこぼれるのを防ぐために、周壁を設けることができる。周壁を設ける場合、周壁の高さは、受け止めた尿や洗浄液が外にこぼれない程度であれば特に限定されないが、通常は３〜５ｃｍ程度である。周壁が設けられた尿受皿部４は、設置箇所の防水工事も不要または簡単で作業性が良好であるという特徴を有する。しかし、後述するように、ユニット化し床面上に設置する場合を除いて、必ずしも周壁を設ける必要はない。
【００２７】
本発明において、尿受皿部４には洗浄水を尿受皿部４内に導入するための放出口５と、使用後の洗浄水を尿受皿部４外に排出するための排水口６が設けられ、尿受皿部４で受け止めた尿が、適宜、洗浄水で洗い流されるように構成される。
放出口５及び排水口６の位置は、洗浄水を尿受皿部４全体に行き渡らせ、洗浄することができる限り特に限定されないが、小便器を使用する際、放尿終了間際には尿が小便器本体２の尿受け部２ａに届かないケースが多く、尿受皿部４から凸設された両足場３の間が最も汚れやすい。このような実情を考慮すれば、尿受皿部４の前縁に放出口５を設けて、両足場３の間に向けて洗浄水を放出し、両足場３の間を重点的に洗浄できるようにするのが好ましい。この場合、排水口６は尿受皿部４の後縁に設けるとともに、尿受皿部４全体を前縁で高く後縁で低い斜面状にして排水し易くするのが好ましい。
【００２８】
放出口５の構造は特に限定されず、最も単純な場合として、端部が開放された水道管を放出口５とし、少量の水を常に流すように構成することもできるが、通常の場合にはバルブを設け、必要なときに洗浄水を流すように構成される。洗浄水はフィルム状に流すと、少量の水でよいので経済的であり好ましい。
バルブを設けた場合、放出口５を開放して洗浄水を流すタイミングは特に限定されないが、小便器本体２を水洗するタイミングと連動して尿受皿部４にも洗浄水を流すように構成するのが好ましいが、必要により、一定時間毎に定期的に洗浄水を流すようにしてもよく、また、これらの組み合わせでもよい。放出口５を２箇所以上に設ける場合は、一方を小便器本体２の水洗と連動させ、他方を一定時間毎に洗浄するようにしてもよく、具体的には、汚れやすい両足場３の間を洗浄する放出口５は小便器本体２の水洗と連動させ、比較的汚れにくい両足場３の外側や小便器本体２の横側を洗浄する放出口５は一定時間毎に洗浄水を放出するようにしてもよい。
【００２９】
なお、ここでいう連動とは、小便器本体２の水洗と同時に洗浄水を放出する場合のみならず、小便器本体２の水洗から一定時間後に洗浄水を放出するような場合も含まれるが、清潔面、衛生面からは前者が好ましい。
本発明の小便器用水洗システムに用いられる素材は、ステンレス、アルミ等の金属、ホウロウ、陶磁、樹脂等のいずれでもよいが、軽量で耐久性があり、外観が清潔感に富み、加工性が良好である点でステンレスが好ましい。
【００３０】
本発明の小便器用水洗システムは、小便器本体２と、両足場３が凸設された尿受皿部４を備えた水洗システムとして新たに施工されるか、又は既設の小便器に少なくとも両足場３が凸設された尿受皿部４を後付けすることによりリフォームされる。
リフォームの場合、図５に示した両足場３と尿受皿部４とからなるユニット１ａを用い、床面に該尿受皿部４を凹設できる凹部を形成し、該凹部に該ユニット１ａを嵌め込み放出口５と排水口６を配管する。
また、尿受皿部が周壁を有するユニットを用いる場合は、床面上に該ユニットを配置し配管するだけでよく、防水工事等も不要である。更に、図６に例示したように、両足場３と、放出口５と排水口６を備えた尿受皿部４とを含むユニット１ａを用いる場合は、これを既設の小便器の下に設置することによってリフォームすることもできる。
【００３１】
ユニット１ａを床面上に設置する場合、床面とユニット１ａとが接触していると、ユニット１ａを設置した床面を掃除する際に汚れがユニット１ａと床面との間に溜まりやすく掃除がしにくくなる。従って、ユニット１ａと床面との間に間隔を保つためのスペーサーを介在させるのが好ましい。
図６に示した例では、ユニット１ａの裏面に脚部４ａを設け、この脚部４ａにより床面とユニット１ａの尿受皿部４の裏面との間に間隔を保つように構成されているが、これに限定されず、ユニット１ａとは別体のスペーサーをユニット１ａの尿受皿部４の裏面に敷設してもよい。
【産業上の利用可能性】
【００３２】
上記したとおり、本発明の小便器用水洗システムは、小便器本体より洩れ出た尿を尿受皿部で受け、これらの尿受皿部で受けた尿を洗い流すように構成されている。
したがって、床面に尿の溜りができたり、凝固物で汚れが付着したりして、外観を悪くしたり、悪臭を発することがなく、清潔で衛生的な小便器用水洗システムを提供することができる。更に、床面のタイルやコンクリート等が尿により変色、劣化することがないのでこれらの耐久性が高められ、極めて有用性の高いものである。
【符号の説明】
【００３３】
１  小便器用水洗システム
１ａ  ユニット
２  小便器本体
２ａ  小便器本体の尿受け部
３  両足場
４  尿受皿部
４ａ  脚部
５  放出口
６  排水口
【図１】
2014088697.tif 000003
【図２】
2014088697.tif 000004
【図３】
2014088697.tif 000005
【図４】
2014088697.tif 000006
【図５】
2014088697.tif 000007
【図６】
2014088697.tif 000008